(57)【要約】【課題】アーム部材１０の回動を阻止する手段の操作が簡単で、特別な部品を必要としない布団挟みを提供すること。【解決手段】一対のアーム部材１０が、中途部で相互に回動可能に軸着され、アーム部材１０の一端側の部分が布団を挟むための挟持腕部１２として設けられ、アーム部材１０の他端側の部分である他端腕部１４に挟持腕部１２が開く方向に回動することを阻止する回動阻止手段１５が設けられた布団挟みにおいて、他端腕部１４が、一対のアーム部材同士が軸着によって接触される方向とは実質的に反対方向へ撓むことが可能に設けられ、回動阻止手段１５は、相互に係合することで回動を阻止し、他端腕部１４を接触される方向とは実質的に反対方向へ撓ませることで係合を解除して回動を許容できる係合構造である。【選択図】  図１
2006051257.tif 000002
【特許請求の範囲】
【請求項１】
一対のアーム部材が、中途部で相互に回動可能に軸着され、前記アーム部材の一端側の部分が布団を挟むための挟持腕部として設けられ、前記アーム部材の他端側の部分である他端腕部に前記挟持腕部が開く方向に回動することを阻止する回動阻止手段が設けられた布団挟みにおいて、
前記他端腕部が、一対のアーム部材同士が軸着によって接触される方向とは実質的に反対方向へ撓むことが可能に設けられ、
前記回動阻止手段は、相互に係合することで回動を阻止し、前記他端腕部を前記接触される方向とは実質的に反対方向へ撓ませることで係合を解除して回動を許容できる係合構造であることを特徴とする布団挟み。
【請求項２】
前記係合構造は、一対の前記他端腕部にそれぞれ設けられた複数の凹部及び凸部の組み合わせによって構成されていることを特徴とする請求項１記載の布団挟み。
【請求項３】
前記係合構造は、一対の前記他端腕部にそれぞれ設けられた鋸刃状の複数の凹凸部によって構成されていることを特徴とする請求項１又は２記載の布団挟み。
【請求項４】
前記係合構造は、一対の前記他端腕部にそれぞれ設けられた複数の突起及び孔の組み合わせによって構成されていることを特徴とする請求項１記載の布団挟み。
【請求項５】
前記一対の挟持腕部を常時閉じる方向に付勢するバネを具備することを特徴とする請求項１乃至４記載の布団挟み。
【請求項６】
前記係合構造は前記他端腕部の中途部に設けられ、
前記他端腕部の先端部には、係合状態を容易に解除すべく把持可能に設けられ、回動方向に交差する方向に少なくとも該先端部以外の部分よりも長く形成された拡張把持部が設けられていることを特徴とする請求項１乃至５記載の布団挟み。
【請求項７】
前記挟持腕部の布団に圧接する先端部には、回動方向に交差する方向に少なくとも該先端部以外の部分よりも長く形成された拡張圧接部が設けられていることを特徴とする請求項１乃至６記載の布団挟み。
【発明の詳細な説明】
【技術分野】
【０００１】
本発明は、布団を干す際に用いる布団挟みに関する。
【背景技術】
【０００２】
従来から、布団挟みとしては、一端部で相互に回動可能に軸着された一対のアーム部材と、その一対のアームアームを常時閉じる方向に付勢するスプリングとで構成されたものが一般的に使用されている。
アーム部材の形態は、布団を干す場所であるベランダの手すりやフェンス等に応じ、布団等を好適に挟んで保持するため、その大きさや形状についての工夫がなされている。
【０００３】
また、風が吹いた際でも布団が落下しないように、アーム部材の回動を阻止する手段であるロック機構を設けたものが提案されている。
例えば、一端に挟持部を設けた一対の湾曲腕（以下、「挟持腕部」ともいう）の他端を軸により枢支すると共に、その一対の湾曲腕に枢支部よりさらに延長腕部（以下、「他端腕部」ともいう）を形成し、その延長腕部の何れか一方に係合溝を適宜数一連に開設すると共に、他方の延長腕部に前記一連の係合溝に係合し得るフックを枢着し、一対の湾曲腕間に圧縮スプリングを枢支部寄りに係合した布団挟みが提案されている（特許文献１参照）。
【特許文献１】実開昭５２−１０５２９号公報（第１頁）
【発明の開示】
【発明が解決しようとする課題】
【０００４】
係合溝とフックとの組み合わせによる回動阻止手段によれば、一対の挟持腕部が開かないように、アーム部材の相互の回動を阻止できる。従って、布団の落下を防止するために一定の効果がある。
しかながら、この方式では、フックを掛けるために、一対の挟持腕部を閉じるように保持する操作と、その後にフックを掛けるという二重の操作が必要となる。また、一定の強度のあるフックという部品を必要とするため、部品コストおよび組み立てコストが生じるという課題がある。
そこで本発明の目的は、アーム部材の回動を阻止する手段の操作が簡単で、フックのような特別な部品を必要としない布団挟みを提供することにある。
【課題を解決するための手段】
【０００５】
本発明は、上記目的を達成するために次の構成を備える。
本発明に係る布団挟みの一形態によれば、一対のアーム部材が、中途部で相互に回動可能に軸着され、前記アーム部材の一端側の部分が布団を挟むための挟持腕部として設けられ、前記アーム部材の他端側の部分である他端腕部に前記挟持腕部が開く方向に回動することを阻止する回動阻止手段が設けられた布団挟みにおいて、前記他端腕部が、一対のアーム部材同士が軸着によって接触される方向とは実質的に反対方向へ撓むことが可能に設けられ、前記回動阻止手段は、相互に係合することで回動を阻止し、前記他端腕部を前記接触される方向とは実質的に反対方向へ撓ませることで係合を解除して回動を許容できる係合構造であることを特徴とする。
【０００６】
また、本発明に係る布団挟みの一形態によれば、前記係合構造は、一対の前記他端腕部にそれぞれ設けられた複数の凹部及び凸部の組み合わせによって構成されていることを特徴とすることができる。
また、本発明に係る布団挟みの一形態によれば、前記係合構造は、一対の前記他端腕部にそれぞれ設けられた鋸刃状の複数の凹凸部によって構成されていることを特徴とすることができる。
【０００７】
また、本発明に係る布団挟みの一形態によれば、前記係合構造は、一対の前記他端腕部にそれぞれ設けられた複数の突起及び孔の組み合わせによって構成されていることを特徴とすることができる。
また、本発明に係る布団挟みの一形態によれば、前記一対の挟持腕部を常時閉じる方向に付勢するバネを具備することを特徴とすることができる。
【０００８】
また、本発明に係る布団挟みの一形態によれば、前記係合構造は前記他端腕部の中途部に設けられ、前記他端腕部の先端部には、係合状態を容易に解除すべく把持可能に設けられ、回動方向に交差する方向に少なくとも該先端部以外の部分よりも長く形成された拡張把持部が設けられていることを特徴とすることができる。
また、本発明に係る布団挟みの一形態によれば、前記挟持腕部の布団に圧接する先端部には、回動方向に交差する方向に少なくとも該先端部以外の部分よりも長く形成された拡張圧接部が設けられていることを特徴とすることができる。
【発明の効果】
【０００９】
本発明の布団挟みによれば、挟持腕部が開く方向に回動することを阻止できると共に、他端腕部を撓ませることで係合状態を簡単に解除して回動を許容できる。従って、ベランダ等から布団が落下することを確実に防止できると共に、布団挟みを簡単に布団から取り外すことができる。
また、フック等の特別な部品を必要としないため、布団挟みを簡素且つ好適に構成できる。
【発明を実施するための最良の形態】
【００１０】
以下、本発明の布団挟みに係る最良の形態の一例を添付図面（図１〜５）と共に詳細に説明する。図１は本発明に係る布団挟みの使用状態を示す正面図（布団等の部分は断面）である。図２は図１の布団挟みの平面図である。また、図３は図１の布団挟みの係合構造による係合を解除した状態を示す平面図である。さらに、図４は図１の布団挟みの挟持腕部が開いた状態を示す正面図である。また、図５は図１の布団挟みの挟持腕部が閉じた状態を示す正面図である。
【００１１】
１０はアーム部材である。一対のアーム部材１０が、中途部で軸１３によって相互に回動可能に軸着されている。一対のアーム部材１０の軸着されている部分では、軸１３の周辺の部分同士が面接触しており、その面同士が相互に摺動する関係にある。この所定の面積を備えて相互に接触することによって、一方のアーム部材１０は、他方のアーム部材１０に対して安定的に回動できるようになっている。軸１３の周辺部分の接触は、アーム部材１０の静止時又は回動時に、軸着によって実質的に圧接状態となることで、ガタツキのない安定的な面接触となっている。
【００１２】
１２は挟持腕部であり、アーム部材１０の一端側の部分で、布団２０を挟むために設けられている。この挟持腕部１２は、布団２０を好適に挟むように、湾曲した形状となっている。
また、挟持腕部１２の先端が、布団２０を挟むように設けられた挟持部１１である。この挟持部１１が図１に示すように、布団２０に実際に押し当てられることで、布団２０が物干し部材３０から落ちないように保持される。
【００１３】
１４は他端腕部であり、軸１３を中心にしてアーム部材１０の挟持腕部１２とは反対側の他端側の部分として設けられている。この他端腕部１４に挟持腕部１２が開く方向に回動することを阻止する回動阻止手段１５が設けられている。
また、この他端腕部１４は、一対のアーム部材１０同士が軸着によって接触される方向とは実質的に反対方向へ撓むことが可能に設けられている。つまり、一対の他端腕部１４は、一対のアーム部材１０同士が軸着された軸１３を支点にして、その先端側同士が離反する方向に反るように撓むことが可能に設けられている。このためには、他端腕部１４の材質及び厚さ等を適宜選択すればよい。
また、一対の他端腕部１４は、力が加えられないときに、その先端側同士が相互に接触する方向へ若干傾いている程度が好ましい。これによれば、一対の他端腕部１４同士が相互に合わさり易くなり、後述する係合が好適になされる。
【００１４】
また、回動阻止手段１５は、相互に係合することで回動を阻止し、他端腕部１４を軸着によって接触される方向とは実質的に反対方向へ撓ませることで係合を解除して回動を許容できる係合構造となっている。
本形態の係合構造は、一対の他端腕部１４にそれぞれ設けられた複数の凹部及び凸部の組み合わせによって構成されている。さらに詳細には、係合構造が、一対の前記他端腕部にそれぞれ設けられた鋸刃状の複数の凹凸部１６によって構成されている。
【００１５】
凹凸部１６は、他端腕部１４の中途部に複数又は多数が開閉方向に連なる状態で設けられている。凹凸部１６の個々の形状は、鋸刃状或いはくさび状であり、断面形状としては三角形に形成されている。閉じる方向へ三角形の鋭角の部分が向いた状態となっている。これらの形状は、樹脂成型加工によって容易に製造できるものとなっている。
この凹凸部１６が向かい合った状態で対を成し、図２のように嵌り合って係合状態となると、一対の他端腕部１４が開く方向にアーム部材１０が回動することを阻止できる。この係合状態は極めて強力であり、本形態の布団挟みは、布団２０を物干し部材３０に確実に固定しておくことができる。
なお、一対のアーム部材１０は軸１３を中心に相互に回動するから、一対の他端腕部１４が開くときは一対の挟持腕部１２も開き、同様に一対の他端腕部１４が閉じるときは一対の挟持腕部１２も閉じる関係にある。
【００１６】
また、図１の状態から一対の他端腕部１４がさらに閉じる方向に回動された場合は、鋸刃状の凹凸部１６は、その三角形の形状のために、より多くの向かい合う凹凸部１６同士が自動的に係合する状態となる。つまり、操作する者が、他端腕部１４を撓ませるように力を加えなくとも閉じる方向へ回動した際には自動的に係合する。これは、一対の他端腕部１４を閉じるようにアーム部を回動させると、向かい合う凹凸部１６同士が、相互に三角形の斜面１７に沿って相互に凸の最上部を乗り越えることができるためである。なお、向かい合う凹凸部１６同士が斜面１７に沿って乗り越える際に、一対の他端腕部１４は、軸着によって接触される方向とは実質的に反対方向へ、その斜面１７の高さの分に応じて撓んだ状態となる。つまり、一対の他端腕部１４は、一対のアーム部材１０同士が軸着された軸１３を支点にして、その先端側同士が、斜面１７の高さの分に応じて離反する方向に反るように撓む状態となる。そして、凹凸部１６同士が斜面１７を乗り越えた後は、一対の他端腕部１４が合わさる方向へ復帰する力が働いて凹凸部１６同士が係合する状態となる。
【００１７】
これに対して、一対の他端腕部１４を開こうとする力が働いても、凹凸部１６の三角形よって、相互にくさびが嵌る状態となって完全に係止状態がロックされる。これによって一対のアーム部材１０の回動が阻止される。
そして、この係合状態を解除するには、操作する者が、他端腕部１４を軸着によって圧接される方向と反対方向へ撓ませればよい。この簡単な操作によって、一対の他端腕部１４が開く方向に一対のアーム部材１０を回動させることが可能となる。
凹凸部１６を他端腕部１４に形成することは、樹脂成型加工によって容易にできるものであり、一体に形成すれば他の部品を必要としないため簡素且つ好適に製造できる。
なお、本形態では、他端腕部１４の中途部に延長部１８（図４参照）を設け、凹凸部１６を回動方向へ連続して多数形成してある。このことで、アーム部材１０の回動を阻止できる範囲を拡張している。従って、図３に比べて図１のように閉じ方が浅い場合でも、好適にアーム部材１０の回動を阻止できる。
また、凹凸部１６が連続して多数形成されているため、一対の挟持腕部１２の開度を段階的にロックできる。凹凸部１６の大きさによるが、ほとんど無段階に近い状態にできる。
さらに、凹凸部１６の三角形の先端をより鋭角にする形状とすれば、凹凸部１６同士の噛み合わせを深くすることができる。この場合におけて係合状態を解除するには、他端腕部１４を若干閉じる方向に回動させた後、その他端腕部１４を反らせるように撓ませればよい。
【００１８】
１９はストッパであり、一対の他端腕部１４が所定以上に閉じることを防止するために設けられている。
また、４０はバネであり、一対の挟持腕部１２を常時閉じる方向に付勢する付勢手段として配設されている。この付勢手段としては、本形態のようにトーションバネを用いてもよいし、一対の挟持腕部１２間にコイルスプリング渡す形態であってもよく、特に限定されるものではない。
このバネ４０の存在により、一対の挟持部１１による布団２０に対する挟持が緩んだ際には、一対の挟持腕部１２は閉じる方向に回動する。これにより、一対の他端腕部１４も閉じる方向に回動し、前述したように凹凸部１６同士が深く重なり合って自動的に係合する状態となる。このため、この布団挟みによれば、布団２０を安定的に保持できる。
【００１９】
本形態の布団挟みでは、布団を挟んだ一対の挟持腕部１２が外力の影響で捩じれる場合がある。しかし、軸１３によって軸着された部分で、一対のアーム部材１０同士が実質的に隙間のない圧接する状態にあれば、その一対の挟持腕部１２の捩じれは、一対の他端腕部１４には影響を与えない。一対の挟持腕部１２を撓ませる力は、軸１３を支点として発生するものであって、一対の他端腕部１４を撓ませる力は、これもまた軸１３を支点として発生するように、一対のアーム部材１０が摺動可能な接触状態に軸着されていればよい。
【００２０】
以上の形態では、凹凸による係合構造について説明したが、本発明はこの形態に限られるものではなく、例えば、一対の他端腕部にそれぞれ設けられた複数の突起及び孔の組み合わせによって構成されていてもよい（図示せず）。少なくとも、一対のアーム部材１０同士が軸着によって実質的に圧接される圧力の方向とは実質的に反対方向へ撓ませることで係合を解除し、アーム部材１０の回動を許容できる係合構造であればよい。このため、向かい合う他端腕部１４が離れあう方向に撓ませて係合を解除できる構造形態及び材料の材質等を選択的に採用すればよい。
また、他端腕部１４を手動で或いは自動的に撓ませて係合状態とすると共に、その係合状態を手動で解除することから、軸１３による軸着部と回動阻止手段１５の係合構造部との間は、係合が解除できるだけ撓むための距離が必要である。その距離が過度に短いと、材料としては撓み易いものである必要があり、剛性が十分でなくなるため採用することが難しくなる。
なお、突起と孔の場合の孔は貫通孔を意味し、貫通孔でない場合は、前述した凹部及び凸部の組み合わせとなる。また、突起の形状は、鉤状とするなど、好適な係合のために種々選択的に採用すればよい。
【実施例１】
【００２１】
本発明に係る布団挟みの一実施例について、添付図面（図６）に基づいて説明する。図６は、本発明に係る布団挟みの他端腕部１４の一形態を示す斜視図である。
５０は拡張把持部である。他端腕部１４の先端部に、回動方向に交差する方向に少なくとも他の部分よりも長く形成されて設けられている。係合状態を容易に解除すべく好適に把持できる部分となっている。
【実施例２】
【００２２】
本発明に係る布団挟みの一実施例について、添付図面（図７）に基づいて説明する。図７は、本発明に係る布団挟みの挟持腕部１２の一形態を示す斜視図である。
６０は拡張圧接部である。挟持腕部１２の布団に圧接する先端部に、回動方向に交差する方向に少なくとも他の部分よりも長く形成されて設けられている。これにより、長い幅で布団に接触でき、挟持腕部１２が捩じれることを防止でき、布団を安定的に固定することができる。
【００２３】
また、本発明のアーム部材１０の形状は、本実施の形態のような対称性のある形状に限定されない。例えば、一対の他端腕部１４を、その開閉を操作する者が位置する側へ傾けた形態としてもよい。これによれば、高い位置で布団を挟んで固定する場合にも好適に使用することができる。
以上、本発明につき好適な実施の形態を挙げて種々説明してきたが、本発明はこの実施の形態に限定されるものではなく、発明の精神を逸脱しない範囲内で多くの改変を施し得るのは勿論のことである。
【図面の簡単な説明】
【００２４】
【図１】本発明に係る布団挟みの一形態の使用状態を示す正面図である。
【図２】図１の布団挟みの平面図である。
【図３】図１の回動防止手段による係合を解除した状態を示す平面図である。
【図４】本発明に係る布団挟みの開いた状態を示す正面図である。
【図５】本発明に係る布団挟みの閉じた状態を示す正面図である。
【図６】本発明に係る布団挟みの他端腕部の一形態を示す斜視図である。
【図７】本発明に係る布団挟みの挟持腕部の一形態を示す斜視図である。
【符号の説明】
【００２５】
１０  アーム部材
１２  挟持腕部
１３  軸
１４  他端腕部
１５  回動阻止手段
１６  凹凸部
１７  斜面
２０  布団
３０  物干し部材
４０  バネ
５０  拡張把持部
６０  拡張圧接部
【図１】
2006051257.tif 000003
【図２】
2006051257.tif 000004
【図３】
2006051257.tif 000005
【図４】
2006051257.tif 000006
【図５】
2006051257.tif 000007
【図６】
2006051257.tif 000008
【図７】
2006051257.tif 000009